(57)【要約】【課題】開閉カバー内部に追加ユニットを容易に装着できるようにすること。【解決手段】  回転中心（Ｕ２ａ）を中心として開閉される開閉カバー（Ｕ２）と、前記回転中心（Ｕ２ａ）側に配置された中心側支持部（６，７）と、前記回転中心（Ｕ２ａ）から遠い側に配置された固定部（１１，１２）と、を有し、前記開閉カバー（Ｕ２）の開放時に開放される追加ユニット支持部材（２）と、回転中心（Ｕ２ａ）側に配置され且つ前記中心側支持部（６，７）に支持される被支持部（３２ａ，３３ａ）と、前記固定部（１１，１２）に固定部材（５１）を介して固定される被固定部（３２ｂ，３３ｂ）とを有し、前記追加ユニット支持部材（２）に支持されて、画像形成装置（Ｕ）に機能を追加する追加ユニット（Ｕ４）と、を備えた画像形成装置（Ｕ）。【選択図】図８
2008064999.tif 000002
【特許請求の範囲】
【請求項１】
回転中心を中心として開閉される開閉カバーと、
前記回転中心側に配置された中心側支持部と、前記回転中心から遠い側に配置された固
定部と、を有し、前記開閉カバーの開放時に開放される追加ユニット支持部材と、
回転中心側に配置され且つ前記中心側支持部に支持される被支持部と、前記固定部に固
定部材を介して固定される被固定部とを有し、前記追加ユニット支持部材に支持されて、
画像形成装置に機能を追加する追加ユニットと、
を備えたことを特徴とする画像形成装置。
【請求項２】
画像形成装置本体の側面をカバーする側面カバー部と、前記画像形成装置本体の上面の
一部をカバーする上面カバー部とを有する前記開閉カバー、
を備えたことを特徴とする請求項１に記載の画像形成装置。
【請求項３】
前記開閉カバーを開放した状態での前記側面カバー部の上端の高さ以上の位置に配置さ
れた前記固定部、
を備えたことを特徴とする請求項１または２に記載の画像形成装置。
【請求項４】
前記画像形成装置本体から搬送された記録シートが搬送される追加搬送路と、前記記録
シートを搬送する追加搬送部材と、を有する搬送ユニットにより構成された前記追加ユニ
ット、
を備えたことを特徴とする請求項１ないし３のいずれかに記載の画像形成装置。
【請求項５】
前記画像形成装置本体から搬送された記録シートを前記画像形成装置本体に戻すシート
反転路により構成された前記追加搬送路、を有する前記追加ユニット、
を備えたことを特徴とする請求項４に記載の画像形成装置。
【請求項６】
鍵穴により構成された前記固定部を有する前記追加ユニット支持部材と、
前記鍵穴に係合する鍵状の前記固定部材と、
前記固定部材により前記追加ユニットが前記追加ユニット支持部材に固定される固定位
置と固定が解除される固定解除位置との間で回転可能に支持する前記被固定部と、
を備えたことを特徴とする請求項１ないし５のいずれかに記載の画像形成装置。
【請求項７】
前記追加ユニットの両端部に配置された一対の前記被固定部であって、前記固定部材を
所定の回転方向にガイドする一端側ガイド部を有する一端側被固定部と、前記一端側ガイ
ド部とは逆回転方向に前記固定部材をガイドする他端側ガイド部とを有する他端側被固定
部と、を有する一対の前記被固定部、
を備えたことを特徴とする請求項６に記載の画像形成装置。
【請求項８】
固定部材が貫通する貫通孔と、前記貫通孔の外周部に形成された弧状のガイド面と、を
有する前記被固定部と、
前記被固定部および前記固定部を貫通する軸部と、前記軸部に形成され前記鍵穴状の固
定部に係合してロックする鍵部と、前記被固定部のガイド面に接触して前記固定部材の回
転時にガイドされる被軸受部と、を有する前記固定部材と、
を備えたことを特徴とする請求項６または７に記載の画像形成装置。
【請求項９】
前記ガイド部材に形成され且つ、前記固定位置および前記固定解除位置に対応する位置
に形成された突起を有する前記被固定部と、
前記固定部材の回転に伴って、前記突起に係合して弾性変形した後に係合が解除されて
弾性復元する突起係合弾性変形部を有する前記固定部材と、
を備えたことを特徴とする請求項８に記載の画像形成装置。
【発明の詳細な説明】
【技術分野】
【０００１】
本発明は、プリンタ、ＦＡＸ、複写機あるいはこれら全てまたは複数の機能を有する複
合機等の画像形成装置に関し、特に、画像形成装置に機能を追加する追加ユニット（オプ
ションユニット）を装着可能な画像形成装置に関する。
【背景技術】
【０００２】
従来の電子写真方式の画像形成装置では、装置が標準的に備えている機能（プリント機
能や標準給紙トレイや標準排紙トレイ等）は画像形成装置本体に内蔵し、両面印刷機能や
、用紙の整合やステープラ、パンチ穴形成等の後処理機能、追加の給紙トレイや排紙トレ
イ等は、付加機能（オプション）として追加ユニット、別ユニットで提供されることがあ
る。
このような追加ユニットを画像形成装置の側面や外部に設置することが広く行われてい
るが（例えば、特許文献１（特開２００２−２５８５６４号公報）等参照）、この場合、
画像形成装置全体のサイズが大きくなって、設置面積、専有面積が広くなるという問題が
ある。また、両面印刷ユニットのように画像形成装置の側面に支持する場合、画像形成装
置全体の重心位置が変化し、バランスが崩れ、捩れ等により画質が低下したり、ねじれを
防止するためにフレームを強化する対策が必要になるという問題がある。
【０００３】
このような問題に対応するために、追加ユニットを画像形成装置内部に支持する技術と
して、下記の従来技術（Ｊ01）が従来公知である。
（Ｊ01）特許文献２（特開２００１−２３５９０５号公報）記載の技術
特許文献２には、開閉可能な側面カバーと、画像形成装置本体との間に両面印刷用の追
加ユニットを収容可能な空間を準備しておき、側面カバーを開放した状態で、上方から両
面印刷用のシート反転路およびシート搬送ロールのユニットとを有する追加ユニットを入
れて装着する技術、すなわち、画像形成装置内部に追加ユニットを支持する技術が記載さ
れている。なお、引用文献２には、側面カバーを着脱可能に構成して、ユニット装着時に
側面カバーも着脱することも記載されている。
【０００４】
【特許文献１】特開２００２−２５８５６４号公報（図3、図７，図８）
【特許文献２】特開２００１−２３５９０５号公報（「００２９」〜「００３３」、図１〜図３）
【発明の開示】
【発明が解決しようとする課題】
【０００５】
（従来技術の問題点）
前記従来技術（Ｊ01）では、追加ユニットを画像形成装置本体に対してどのようにして
装着するのか具体的な記載がなく、どのようにして固定されているのか不明である。通常
、追加ユニットを画像形成装置本体に装着する場合、ユーザではなく、サービスエンジニ
アが装着することがあるが、サービスエンジニアを呼び出すと、連絡や待ち時間、人件費
が高くなるという問題がある。しかし、画像形成装置内部に追加ユニットをユーザが装着
する場合、装着する際に、従来技術（Ｊ01）のようにカバーを外したり、さまざまな複数
のネジを使用して装着する等の装着方法が複雑であると、装着が困難であるという問題が
ある。また、開閉カバーの内部に追加ユニットが収容される場合、追加ユニット着脱時に
開閉カバーが作業の障害になることもあり、装着作業が困難となる問題がある。
【０００６】
本発明は前記事情に鑑み、次の記載内容（Ｏ01）を技術的課題とする。
（Ｏ01）開閉カバー内部に追加ユニットを容易に装着できるようにすること。
【課題を解決するための手段】
【０００７】
次に、前記課題を解決した本発明を説明するが、本発明の構成要素には、後述の実施例
の構成要素との対応を容易にするため、実施例の構成要素の符号をカッコで囲んだものを
付記する。
なお、本発明を後述の実施例の符号と対応させて説明する理由は、本発明の理解を容易
にするためであり、本発明の範囲を実施例に限定するためではない。
【０００８】
（第１発明）
前記技術的課題を解決するために第１発明の画像形成装置（Ｕ）は、
回転中心（Ｕ２ａ）を中心として開閉される開閉カバー（Ｕ２）と、
前記回転中心（Ｕ２ａ）側に配置された中心側支持部（６，７）と、前記回転中心（Ｕ
２ａ）から遠い側に配置された固定部（１１，１２）と、を有し、前記開閉カバー（Ｕ２
）の開放時に開放される追加ユニット支持部材（２）と、
回転中心（Ｕ２ａ）側に配置され且つ前記中心側支持部（６，７）に支持される被支持
部（３２ａ，３３ａ）と、前記固定部（１１，１２）に固定部材（５１）を介して固定さ
れる被固定部（３２ｂ，３３ｂ，３２ｂ′，３３ｂ′）とを有し、前記追加ユニット支持
部材（２）に支持されて、画像形成装置（Ｕ）に機能を追加する追加ユニット（Ｕ４）と
、
を備えたことを特徴とする。
【０００９】
（第１発明の作用）
前記構成要件を備えた第１発明の画像形成装置（Ｕ）では、開閉カバー（Ｕ２）は、回
転中心（Ｕ２ａ）を中心として開閉される。前記開閉カバー（Ｕ２）の開放時に、追加ユ
ニット支持部材（２）は開放される。画像形成装置（Ｕ）に機能を追加する追加ユニット
（Ｕ４）の被支持部（３２ａ，３３ａ）は、回転中心（Ｕ２ａ）側に配置され、追加ユニ
ット支持部材（２）の回転中心（Ｕ２ａ）側に配置された中心側支持部（６，７）に支持
される。追加ユニット（Ｕ４）の被固定部（３２ｂ，３３ｂ，３２ｂ′，３３ｂ′）は、
回転中心（Ｕ２ａ）から遠い側に配置された追加ユニット支持部材（２）の固定部（１１
，１２）に固定部材（５１）を介して固定される。この結果、追加ユニット（Ｕ４）は、
追加ユニット支持部材（２）に固定される。
したがって、第１発明の画像形成装置（Ｕ）では、追加ユニット支持部材（２）に追加
ユニット（Ｕ４）を支持する場合に、開閉カバー（Ｕ２）の回転中心（Ｕ２ａ）に近い側
では支持され、回転中心（Ｕ２ａ）から遠い側で固定される。したがって、開閉カバー（
Ｕ２）を開放して画像形成装置（Ｕ）の内部に追加ユニット（Ｕ４）を着脱する際に、開
閉カバー（Ｕ２）が作業の妨げになることを低減でき、追加ユニット（Ｕ４）を容易に装
着できる。
【００１０】
（第１発明の形態１）
第１発明の形態１の画像形成装置（Ｕ）は、前記第１発明において、
画像形成装置（Ｕ）本体の側面をカバーする側面カバー部（Ｕ２ｄ）と、前記画像形成
装置（Ｕ）本体の上面の一部をカバーする上面カバー部（Ｕ２ｅ）とを有する前記開閉カ
バー（Ｕ２）、
を備えたことを特徴とする。
（第１発明の形態１の作用）
前記構成要件を備えた第１発明の形態１の画像形成装置（Ｕ）では、前記開閉カバー（
Ｕ２）は、画像形成装置（Ｕ）本体の側面をカバーする側面カバー部（Ｕ２ｄ）と、前記
画像形成装置（Ｕ）本体の上面の一部をカバーする上面カバー部（Ｕ２ｅ）とを有する。
したがって、開閉カバー（Ｕ２）の開放により画像形成装置（Ｕ）の側面だけでなく、上
面の一部も開放できつつ、この開閉カバー（Ｕ２）が邪魔にならずに追加ユニット（Ｕ４
）を装着できる。
【００１１】
（第１発明の形態２）
第１発明の形態２の画像形成装置（Ｕ）は、前記第１発明または第１発明の形態１にお
いて、
前記開閉カバー（Ｕ２）を開放した状態での前記側面カバー部（Ｕ２ｄ）の上端の高さ
以上の位置に配置された前記固定部（１１，１２）、
を備えたことを特徴とする。
（第１発明の形態２の作用）
前記構成要件を備えた第１発明の形態２の画像形成装置（Ｕ）では、前記固定部（１１
，１２）が、前記開閉カバー（Ｕ２）を開放した状態での前記側面カバー部（Ｕ２ｄ）の
上端の高さ以上の位置に配置されているので、開閉カバー（Ｕ２）が邪魔にならず、固定
部材（５１）による固定作業を容易に行うことができる。
【００１２】
（第１発明の形態３）
第１発明の形態３の画像形成装置（Ｕ）は、前記第１発明及び第１発明の形態１、２の
いずれかにおいて、
前記画像形成装置（Ｕ）本体から搬送された記録シート（Ｓ）が搬送される追加搬送路
（ＳＨ２）と、前記記録シート（Ｓ）を搬送する追加搬送部材（Ｒａ）と、を有する搬送
ユニット（Ｕ４）により構成された前記追加ユニット（Ｕ４）、
を備えたことを特徴とする。
（第１発明の形態３の作用）
前記構成要件を備えた第１発明の形態３の画像形成装置（Ｕ）では、追加ユニット（Ｕ
４）は、前記画像形成装置（Ｕ）本体から搬送された記録シート（Ｓ）が搬送される追加
搬送路（ＳＨ２）と、前記記録シート（Ｓ）を搬送する追加搬送部材（Ｒａ）と、を有す
る搬送ユニット（Ｕ４）により構成されている。したがって、記録シート（Ｓ）の搬送機
能を追加する際に、容易に追加ユニット（Ｕ４）を装着できる。
【００１３】
（第１発明の形態４）
第１発明の形態４の画像形成装置（Ｕ）は、前記第１発明の形態３において、
前記画像形成装置（Ｕ）本体から搬送された記録シート（Ｓ）を前記画像形成装置（Ｕ
）本体に戻すシート反転路（ＳＨ２）により構成された前記追加搬送路（ＳＨ２）、を有
する前記追加ユニット（Ｕ４）、
を備えたことを特徴とする。
（第１発明の形態４の作用）
前記構成要件を備えた第１発明の形態４の画像形成装置（Ｕ）では、追加ユニット（Ｕ
４）は、前記画像形成装置（Ｕ）本体から搬送された記録シート（Ｓ）を前記画像形成装
置（Ｕ）本体に戻すシート反転路（ＳＨ２）により構成された前記追加搬送路（ＳＨ２）
、を有する。したがって、両面印刷用のシート反転路（ＳＨ２）を有する追加ユニット（
Ｕ４）を容易に装着することができる。
【００１４】
（第１発明の形態５）
第１発明の形態５の画像形成装置（Ｕ）は、前記第１発明及び第１発明の形態１〜４の
いずれかにおいて、
鍵穴により構成された前記固定部（１１，１２）を有する前記追加ユニット支持部材（
２）と、
前記鍵穴に係合する鍵状の前記固定部材（５１）と、
前記固定部材（５１）により前記追加ユニット（Ｕ４）が前記追加ユニット支持部材（
２）に固定される固定位置と固定が解除される固定解除位置との間で回転可能に支持する
前記被固定部（３２ｂ，３３ｂ，３２ｂ′，３３ｂ′）と、
を備えたことを特徴とする。
【００１５】
（第１発明の形態５の作用）
前記構成要件を備えた第１発明の形態５の画像形成装置（Ｕ）では、前記追加ユニット
支持部材（２）の固定部（１１，１２）は、鍵穴により構成されている。鍵状の前記固定
部材（５１）は、前記鍵穴に係合する。前記被固定部（３２ｂ，３３ｂ，３２ｂ′，３３
ｂ′）は、前記固定部材（５１）により前記追加ユニット（Ｕ４）が前記追加ユニット支
持部材（２）に固定される固定位置と固定が解除される固定解除位置位置との間で回転可
能に支持する。したがって、固定部材（５１）を固定位置と固定解除位置との間で回転移
動させることで、追加ユニット（Ｕ４）を追加ユニット支持部材（２）に固定することが
できるので、着脱を容易にできる。
【００１６】
（第１発明の形態６）
第１発明の形態６の画像形成装置（Ｕ）は、前記第１発明の形態５において、
前記追加ユニット（Ｕ４）の両端部に配置された一対の前記被固定部（３２ｂ，３３ｂ
，３２ｂ′，３３ｂ′）であって、前記固定部材（５１）を所定の回転方向にガイドする
一端側ガイド部（４６ｃ＋４６ｆ，４６ｃ′）を有する一端側被固定部（３２ｂ，３２ｂ
′）と、前記一端側ガイド部（４６ｃ＋４６ｆ，４６ｃ′）とは逆回転方向に前記固定部
材（５１）をガイドする他端側ガイド部（４９ｃ＋４９ｆ，４９ｃ′）とを有する他端側
被固定部（３３ｂ，３３ｂ′）と、を有する一対の前記被固定部（３２ｂ，３３ｂ，３２
ｂ′，３３ｂ′）、
を備えたことを特徴とする。
【００１７】
（第１発明の形態６の作用）
前記構成要件を備えた第１発明の形態６の画像形成装置（Ｕ）では、前記追加ユニット
（Ｕ４）の両端部に配置された一対の前記被固定部（３２ｂ，３３ｂ，３２ｂ′，３３ｂ
′）は、一端側被固定部（３２ｂ，３２ｂ′）と、他端側被固定部（３３ｂ，３３ｂ′）
とを有する。一端側被固定部（３２ｂ，３２ｂ′）の一端側ガイド部（４６ｃ＋４６ｆ，
４６ｃ′）は、前記固定部材（５１）を所定の回転方向にガイドする。他端側被固定部（
３３ｂ，３３ｂ′）の他端側ガイド部（４９ｃ＋４９ｆ，４９ｃ′）は、前記一端側ガイ
ド部（４６ｃ＋４６ｆ，４６ｃ′）とは逆回転方向に前記固定部材（５１）をガイドする
。したがって、一端側と他端側で回転方向が逆なので、固定部材（５１）を一端側と他端
側で同時に操作するとき、人間工学的に自然な操作となり（回転方向が同じだと体が傾い
て操作しずらい）、容易に固定部材（５１）を回転させて固定できる。
【００１８】
（第１発明の形態７）
第１発明の形態７の画像形成装置（Ｕ）は、前記第１発明の形態５または６において、
固定部材（５１）が貫通する貫通孔（４５，４８）と、前記貫通孔（４５，４８）の外
周部に形成された弧状のガイド面（４６ａ１，４９ａ１）と、を有する前記被固定部（３
２ｂ，３３ｂ，３２ｂ′，３３ｂ′）と、
前記被固定部（３２ｂ，３３ｂ，３２ｂ′，３３ｂ′）および前記固定部（１１，１２
）を貫通する軸部（５２）と、前記軸部（５２）に形成され前記鍵穴状の固定部（１１，
１２）に係合してロックする鍵部（５６）と、前記被固定部（３２ｂ，３３ｂ，３２ｂ′
，３３ｂ′）のガイド面（４６ａ１，４９ａ１）に接触して前記固定部材（５１）の回転
時にガイドされる被軸受部（５７）と、を有する前記固定部材（５１）と、
を備えたことを特徴とする。
【００１９】
（第１発明の形態７の作用）
前記構成要件を備えた第１発明の形態７の画像形成装置（Ｕ）は、前記被固定部（３２
ｂ，３３ｂ，３２ｂ′，３３ｂ′）の貫通孔（４５，４８）を固定部材（５１）が貫通す
る。前記貫通孔（４５，４８）の外周部には、弧状のガイド面（４６ａ１，４９ａ１）が
形成されている。被軸受部（５７）は、前記被固定部（３２ｂ，３３ｂ，３２ｂ′，３３
ｂ′）のガイド面（４６ａ１，４９ａ１）に接触して前記固定部材（５１）の回転時にガ
イドされる。固定部材（５１）の軸部（５２）は、前記被固定部（３２ｂ，３３ｂ，３２
ｂ′，３３ｂ′）および前記固定部（１１，１２）を貫通する。前記固定部材（５１）の
軸部（５２）に形成された鍵部（５６）は、前記鍵穴状の固定部（１１，１２）に係合し
てロックする。したがって、固定部材（５１）は、被軸受部（５７）がガイド面（４６ａ
１，４９ａ１）にガイドされて回転し、鍵部（５６）によりロックをかけることで、追加
ユニット（Ｕ４）を追加ユニット支持部材（２）に固定できる。
【００２０】
（第１発明の形態８）
第１発明の形態８の画像形成装置（Ｕ）は、前記第１発明の形態７において、
前記ガイド部材に形成され且つ、前記固定位置および前記固定解除位置に対応する位置
に形成された突起（４６ｄ，４６ｅ，４９ｄ，４９ｅ）を有する前記被固定部（３２ｂ，
３３ｂ，３２ｂ′，３３ｂ′）と、
前記固定部材（５１）の回転に伴って、前記突起（４６ｄ，４６ｅ，４９ｄ，４９ｅ）
に係合して弾性変形した後に係合が解除されて弾性復元する突起係合弾性変形部（５８）
を有する前記固定部材（５１）と、
を備えたことを特徴とする。
（第１発明の形態８の作用）
前記構成要件を備えた第１発明の形態８の画像形成装置（Ｕ）では、突起係合弾性変形
部（５８）は、前記固定部材（５１）の回転に伴って、固定位置および前記固定解除位置
に対応する位置に形成された突起（４６ｄ，４６ｅ，４９ｄ，４９ｅ）に係合して弾性変
形した後に係合が解除されて弾性復元する。したがって、突起係合弾性変形部（５８）の
弾性変形および弾性復元により、固定位置および固定解除位置に固定部材（５１）を保持
するとともに固定部材（５１）を操作する作業者に感覚が伝わり、固定部材（５１）が固
定位置または固定解除位置に移動したことを作業者が感覚的に認識できる。
【発明の効果】
【００２１】
前述の本発明は、下記の効果（Ｅ01）を奏する。
（Ｅ01）開閉カバー内部に追加ユニットを容易に装着できる。
【発明を実施するための最良の形態】
【００２２】
次に図面を参照しながら、本発明の実施の形態の具体例（実施例）を説明するが、本発
明は以下の実施例に限定されるものではない。
なお、以後の説明の理解を容易にするために、図面において、前後方向をＸ軸方向、左
右方向をＹ軸方向、上下方向をＺ軸方向とし、矢印Ｘ，−Ｘ，Ｙ，−Ｙ，Ｚ，−Ｚで示す
方向または示す側をそれぞれ、前方、後方、右方、左方、上方、下方、または、前側、後
側、右側、左側、上側、下側とする。
また、図中、「○」の中に「・」が記載されたものは紙面の裏から表に向かう矢印を意
味し、「○」の中に「×」が記載されたものは紙面の表から裏に向かう矢印を意味するも
のとする。
なお、以下の図面を使用した説明において、理解の容易のために説明に必要な部材以外
の図示は適宜省略されている。
【実施例１】
【００２３】
図１は本発明の実施例１の画像形成装置の斜視説明図である。
図１において、本発明の実施例１の画像形成装置としてのプリンタＵでは、プリンタ本
体Ｕ１の上面に排出トレイＴＲｈが設けられ、プリンタ本体Ｕ１の下部には画像が記録さ
れる記録シートＳが収容される給紙カセットＴＲ１が収容される。前記プリンタ本体Ｕ１
には、フロント回転中心Ｕ２ａを中心として通常位置（図１の実線参照）と開放位置（図
１の破線参照）との間を回転可能に支持されたフロントカバー（開閉カバー）Ｕ２を有す
る。前記フロントカバーＵ２は、紙詰まり（ジャム）が発生した場合等に、カバー開閉ボ
タンＵ２ｂを押したり、回転フレーム開閉部Ｕ２ｃを下から上方に押し上げることで、フ
ロントカバーＵ２を開放位置に回動させてシート搬送路（ＳＨ，ＳＨ２）を開放して紙詰
まりを解消できる。なお、カバー開閉ボタンＵ２ｂや回転フレーム開閉部Ｕ２ｃにより開
閉される部材については後述する。
図１において、実施例１のフロントカバーＵ２は、鉛直方向に延びるプリンタＵの前カ
バー部（側面カバー部）Ｕ２ｄと、前カバー部Ｕ２ｄの上端から後方に延びてプリンタＵ
の上面の一部をカバーし、ユーザインタフェースＵＩを支持する上カバー部（上面カバー
部）Ｕ２ｅとを有する。
また、プリンタ本体Ｕ１の上部後側には、内部の交換可能な部材（トナーカートリッジ
等）の交換時に開閉されるトップカバー（開閉部材）Ｕ３が回転中心Ｕ３ａ（図２参照）
を中心として回転可能に支持されている。
【００２４】
図２は実施例１の画像形成装置の説明図である。
図２において、プリンタ本体Ｕ１はマイクロコンピュータにより構成されたコントロー
ラＣと、コントローラＣにより作動を制御されるＩＰＳ（イメージプロセッシングシステ
ム）、レーザ駆動回路ＤＬ、および電源装置Ｅ等を有している。電源装置Ｅは、後述の帯
電ローラＣＲ、現像ローラＧＲおよび転写ローラ(Ｔ１,Ｔ２ｂ)等にバイアス電圧を印加
する。
前記ＩＰＳ（イメージプロセッシングシステム）は、外部のホストコンピュータ等から
入力された印字データを潜像形成用の画像データに変換して所定のタイミングでレーザ駆
動回路ＤＬに出力する。レーザ駆動回路ＤＬは、入力された画像データに応じてレーザ駆
動信号を潜像形成装置ＲＯＳ（光走査装置）に出力する。前記ＲＯＳは、レーザ駆動信号
に応じて画像書き込み用のレーザビーム（画像書込光）Ｌを照射する。
【００２５】
前記ＲＯＳの上方に配置された回転駆動する像担持体（回転部材）ＰＲは、その表面が
帯電ロールＣＲにより一様に帯電された後、潜像書込位置Ｑ１において前記ＲＯＳ（潜像
形成装置）のレーザビームＬにより露光走査されて静電潜像が形成される。フルカラー画
像を形成する場合は、Ｋ（黒），Ｙ（イエロー），Ｍ（マゼンタ），Ｃ（シアン）の４色
の画像に対応した静電潜像が順次形成され、モノクロ画像の場合はＫ（黒）画像に対応し
た静電潜像のみが形成される。
前記静電潜像が形成された像担持体ＰＲ表面は回転移動して現像領域Ｑ２、１次転写領
域Ｑ３を順次通過する。
【００２６】
前記ＲＯＳの上方には、ロータリ式の現像装置Ｇが配置されている。前記ロータリ式の
現像装置Ｇは、回転軸Ｇａの回転に伴って前記現像領域Ｑ２に順次回転移動するＫ（黒）
，Ｙ（イエロー），Ｍ（マゼンタ），Ｃ（シアン）の４色の現像器ＧＫ，ＧＹ，ＧＭ，Ｇ
Ｃを有している。前記各色の現像器ＧＫ，ＧＹ，ＧＭ，ＧＣは、前記現像領域Ｑ２に現像
剤を搬送する現像ロールＧＲｋ，ＧＲｙ，ＧＲｍ，ＧＲｃを有しており、現像領域Ｑ２を
通過する像担持体ＰＲ上の静電潜像をトナー像に現像する。
前記各現像器ＧＫ，ＧＹ，ＧＭ，ＧＣの現像容器にはそれぞれトナー補給用カートリッ
ジＴＣｋ，ＴＣｙ、ＴＣｍ、ＴＣｃから各色のトナーが補給されるように構成されている
。なお、このようなロータリ式現像装置は、従来公知（たとえば特開平１２―１３１９４
２、特開平１２―２３１２５０公報等参照）であるので、詳細な説明は省略する。
【００２７】
前記像担持体ＰＲの前方には像担持体ＰＲに巻き付けられた中間転写ベルトＢが配置さ
れている。前記中間転写ベルトＢは、複数の従動ロールＲｊ、巻き付き開始位置に配置さ
れたラップインロールＲｗ１、１次転写バイアスが印加される１次バイアスロール（１次
転写ロール）Ｔ１、巻き付き終了位置に配置されたラップアウトロールＲｗ２およびバッ
クアップロールＴ２aを含む複数のベルト支持ロール（Ｒｊ，Ｒｗ１，Ｒｗ２，Ｔ１，Ｔ
２a）によって回転可能に支持されている。そして、画像形成動作時には、中間転写ベル
トＢは回転駆動する像担持体ＰＲに従動して矢印Ｙｂ方向に回転する。
【００２８】
フルカラー画像を形成する場合、潜像書込位置Ｑ１において第１色目の静電潜像が形成
され、現像領域Ｑ２において１色目のトナー像が形成される。このトナー像は、ラップイ
ンロールＲｗ１からラップアウトロールＲｗ２の間の１次転写領域Ｑ３を通過する際に、
１次バイアスロールＴ１によって中間転写ベルトＢ上に静電的に１次転写される。その後
同様にして、第１色目のトナー像を担持した中間転写ベルトＢ上に、第２色目、第３色目
、第４色目のトナー像が順次重ねて１次転写され、最終的にフルカラーの多重トナー像が
中間転写ベルトＢ上に形成される。
単色のモノカラー画像を形成する場合には１個の現像器のみを使用し、単色トナー像が
中間転写ベルトＢ上に１次転写される。
１次転写後、像担持体ＰＲ表面に残留した残留トナーは、像担持体クリーナＣＬ１によ
りクリーニングされる。
【００２９】
前記バックアップロールＴ２aに対向する位置には、２次転写ロールＴ２ｂが、図示し
ない離接装置によって、前記バックアップロールＴ２aに対して離隔した位置と接触した
位置との間で移動可能に配置されている。前記バックアップロールＴ２aおよび２次転写
ロールＴ２ｂにより２次転写器Ｔ２が構成されている。前記バックアップロールＴ２aお
よび２次転写ロールＴ２ｂの接触領域により２次転写領域Ｑ４が形成されている。
前記２次転写ロールＴ２ｂには、現像装置Ｇで使用するトナーの帯電極性と逆極性の２
次転写電圧が電源回路Ｅから供給され、前記電源回路ＥはコントローラＣにより制御され
る。
【００３０】
プリンタ本体Ｕ１の下部には、記録シートＳを収容する給紙トレイＴＲ１が配置されて
おり、給紙トレイＴＲ１内の記録シートＳはシート載置プレートＴＲ１ａにより、シート
最上面がピックアップロールＲｐに当接する給紙位置に保持されている。給紙トレイＴＲ
１に収容された記録シートＳは、所定のタイミングでピックアップロールＲｐにより取り
出され、フィードロールＲｓ１およびリタードロールＲｓ２を有するさばきロールＲｓで
１枚づつ分離されて、シート搬送路ＳＨの搬送ロールＲａによりレジロールＲｒに搬送さ
れる。また、手差し給紙トレイＴＲ０にセットされた記録シートＳは、手差し給紙ロール
Ｒｐ０によりレジロールＲｒに搬送される。前記レジロールＲｒに搬送された記録シート
Ｓは、前記１次転写された多重トナー像または単色トナー像が２次転写領域Ｑ４に移動す
るのにタイミングを合わせて、転写前シートガイドＳＧ１から２次転写領域Ｑ４に搬送さ
れる。
前記２次転写領域Ｑ４において前記２次転写器Ｔ２は、中間転写ベルトＢ上のトナー像
を記録シートＳに静電的に２次転写する。２次転写後の中間転写ベルトＢはベルトクリー
ナＣＬ２により残留トナーが除去される。
【００３１】
なお、前記２次転写ロールＴ２ｂおよびベルトクリーナＣＬ２は、中間転写ベルトＢと
離接（離隔および接触）自在に配設されており、カラー画像が形成される場合には最終色
の未定着トナー像が中間転写ベルトＢに１次転写されるまで、中間転写ベルトＢから離隔
している。
前記像担持体ＰＲ、帯電ロールＣＲ、現像装置Ｇ、１次転写ロールＴ１、中間転写ベル
トＢ、２次転写器Ｔ２等により、記録シートＳにトナー像を転写して形成するトナー像形
成装置（ＰＲ＋ＣＲ＋Ｇ＋Ｔ１＋Ｂ＋Ｔ２）が構成されている。
【００３２】
トナー像が２次転写された前記記録シートＳは、定着装置Ｆの加熱ロールＦｈと加圧ロ
ールＦｐとが圧接する領域（ニップ）により構成された定着領域Ｑ５に搬送される。定着
領域Ｑ５を通過する記録シートＳは、定着装置Ｆにより加熱定着される。トナー像が加熱
定着された記録シートＳは、シート排出ロールＲｈに搬送され、画像形成装置Ｕ１の上端
部に形成されたシート排出口Ｋａから排紙トレイＴＲｈに排出される。
両面印刷時は、前記シート排出ロールＲｈによりスイッチバックされて、シート反転路
（追加搬送路）ＳＨ２を搬送され、記録シートＳの表裏が逆転した状態でレジロールＲｒ
に再送される。実施例１のシート反転路ＳＨ２は、反転ユニット（追加ユニット、搬送ユ
ニット）Ｕ４が装着された場合に画像形成装置Ｕ内部に形成され、反転路搬送方向上流側
の上流側反転路ＳＨ２ａと、中流側反転路ＳＨ２ｂと、下流側反転路ＳＨ２ｃとを有する
。
【００３３】
（フレームおよびカバーと開閉機構の説明）
（固定フレームの説明）
図３は実施例１の開閉カバー（フロントカバー）のみが開放位置に移動した状態の説明
図である。
図４は図３の側面図である。
図５は実施例１の開閉カバーと回転フレームとが開放位置に移動した状態の説明図であ
る。
図６は開閉カバーのみを開放させるカバー開閉機構の要部拡大説明図であり、開閉カバ
ーの一部の図示を省略し、カバー開閉機構が開放可能位置に移動した状態の説明図である
。
図７は開閉カバーと回転フレームとを開閉させる回転フレーム開閉機構の要部拡大図で
ある。
図３〜図７において、実施例１の画像形成装置Ｕは、現像装置Ｇや中間転写ベルトＢ等
を支持する固定フレーム１と、前記固定フレーム１に前記回転中心Ｕ２ａとほぼ同じ位置
を中心として回転可能に支持され且つ二次転写ロールＴ２ｂや定着装置Ｆ、手差し給紙ロ
ールＲｐ０等を支持する回転フレーム２とを有する。図７において、前記固定フレーム１
の左右両端面（図７には右端面側のみ図示）には、外方に突出する回転フレームロック用
突起１ａが形成されている。
【００３４】
（回転フレームの説明）
図８は実施例１の回転フレームに反転ユニットが装着された状態の要部斜視説明図であ
る。
図９は、図８の状態から反転ユニットが取り外された状態の要部斜視説明図である。
図１０は回転フレームの右上部分の要部拡大図である。
図１１は回転フレームの左上部分の要部拡大図である。
図８，図９において、前記回転フレーム２は、固定フレーム１に回転中心２ａ（図８，
図９には、右側のみ図示）を中心として回転可能に支持されている。前記回転フレーム２
の前端面下部には、前記下流側反転路ＳＨ２ｃの内側ガイドである下流側内側ガイド部３
が形成されている。前記下流側内側ガイド部３の上部には、反転ユニットＵ４が装着され
るユニット装着用凹部４が形成されており、前記ユニット装着用凹部４と開閉カバーＵ２
の内面とによって囲まれる空間によりユニット装着用空間が構成される。
図９において、前記下流側内側ガイド部３の右端部には、側面視Ｕ溝状の右側ユニット
支持部（中心側支持部、引っ掛け部）６が形成されている。図９、図１１において、前記
下流側内側ガイド部３の左端部には、側面視Ｕ溝状の左側ユニット支持部（中心側支持部
、引っ掛け部）７が形成されている。
【００３５】
図９〜図１１において、回転フレーム２の上部右端部には、円孔と円孔から上下に延び
る角形孔とを有する形状の鍵穴状の右側固定部１１（固定部、図９，図１０参照）が形成
されており、回転フレーム２の上部左端部には、前記右側固定部１１と同様の鍵穴状の左
側固定部１２（固定部、図９，図１１参照）が形成されている。
図６、図８、図９、図１０において、前記右側固定部１１の左上方には、ロック部材ガ
イド部１３ａと、ロック孔１３ｂとを有する右側カバーロック部１３が形成されている。
同様に、図９，図１１において、前記左側固定部１２の左上方には、ロック部材ガイド部
１４ａと、ロック孔１４ｂとを有する左側カバーロック部１４が形成されている。
【００３６】
図３〜図５、図７において、前記回転フレーム２には、前後方向に貫通するロック部材
回転軸１５が回転可能に支持されており、回転軸１５の左右両端部には、回転フレームロ
ック部材１６，１７が支持されている。前記回転フレームロック部材１６，１７は、後側
アーム部１６ｂ，１７ｂを有し、後側アーム部１６ｂ，１７ｂの先端部の上側には前記固
定フレーム１の回転フレームロック用突起１ａに係合する爪部１６ｃ、１７ｃが形成され
ている。前記爪部１６ｃ，１７ｃの後側上部には、閉塞時ガイド面１６ｃ１，１７ｃ１が
形成されている。前記回転フレームロック部材１６，１７は、それぞれ前側アーム部１６
ｄ（左側の前側アーム部１７ｄは図示省略）を有する。前記前側アーム部１６ｄと、前側
アーム部１６ｄの下方の回転フレーム２に形成されたピン２ｂとの間には、スプリング１
８が装着されている。前記左側の回転フレームロック部材１７の前端部には、前記フロン
トカバーＵ２の回転フレーム開閉部Ｕ２ｃ（図１参照）と係合する被係合部１７ｅ（図７
参照）が形成されている。
【００３７】
（フロントカバーの説明）
図６において、フロントカバーＵ２の上部内面には、フロントカバーＵ２から内側に突
出する左右一対のピン２１（図６には右側のみ図示）が設けられており、前記ピン２１に
は、左右方向に延びるスライドバー２２が一対のピン２１により左右方向にスライド移動
可能に支持されている。
前記スライドバー２２は、右端部から後方に延びるボタン係合部２２ａを有し、前記ボ
タン係合部２２ａには、前記フロントカバーＵ２の右側部に配置されたカバー開閉ボタン
Ｕ２ｂの内端部が係合している。スライドバー２２の両端部には、前記カバーロック部１
３，１４に対応して左右一対のカバーロック部材２３（図６には右側のみ図示）が固定支
持されている。前記カバーロック部材２３は、左右方向に延びる長孔により構成され且つ
前記ピン２１が貫通して左右方向にスライド可能にガイドされる被ガイド部２３ａを有す
る。また、前記カバーロック部材２３には、スライドバー２２を貫通して後方に突出する
三角柱状のロック部２３ｂを有する。前記ロック部２３ｂは、前記ロック孔１３ｂ，１４
ｂに嵌合してフロントカバーＵ２を回転フレーム２に保持可能な嵌合部２３ｃと、後方（
−Ｘ方向）に行くに連れて外側から内側に傾斜するガイド面２３ｄとを有する。
前記スライドバー２２には、カバーロック部材２３の内側部分に、左右一対（図６には
右側のみ図示）のスプリング装着孔２４およびスプリング収容口２６が形成されている。
前記スプリング収容口２６にはスプリング２７が収容されており、スプリング２７の一端
はスプリング装着孔２４に支持され、他端は図示しないフロントカバーＵ２のスプリング
支持部に支持されている。
【００３８】
したがって、画像形成動作が行われる通常時は、フロントカバーＵ２は、カバーロック
部材２３とカバーロック部１３，１４により回転フレーム２に保持（ロック）され、回転
フレーム２は、回転フレームロック部材１６，１７と回転フレームロック用突起１ａによ
り固定フレーム１に保持（ロック）されている。
反転ユニットＵ４を着脱する場合やシート反転路ＳＨ２で紙詰まりが発生した場合、カ
バー開閉ボタンＵ２ｂを押すことで、スライドバー２２がスライドしてカバーロック部材
２３とロック部材ガイド部１３，１４との係合が解除され、フロントカバーＵ２のみが閉
鎖位置から開放位置に移動する（図１，図３，図４参照）。前記カバー開閉ボタンＵ２ｂ
からユーザ（または、サービスエンジニアや製造現場等の作業者）が指を離すと、スプリ
ング２７により、スライドバー２２は元の状態に戻る。この状態でフロントカバーＵ２を
開放位置から閉鎖位置に戻すと、カバーロック部材２３のガイド面２３ｄがロック部材ガ
イド部１３，１４の前端面に干渉してガイドされ、一度スライドバー２２が左方向（開放
位置側）に移動する。この状態からフロントカバーＵ２を更に押し込み、カバーロック部
材２３の嵌合部２３ｃが前端面を通過すると、スプリング２７の力により右方向に移動し
て、嵌合部２３ｃがロック部材ガイド部１３，１４に係合してロックされる。
【００３９】
一方、シート搬送路ＳＨで紙詰まりが発生した場合、前記フロントカバーＵ２の回転フ
レーム開閉部Ｕ２ｃを下から上方に押すように操作することで、左側の回転フレームロッ
ク部材１７の前側アーム部が上方に回転し、ロック部材回転軸１５により左右の回転フレ
ームロック部材１６，１７が回転フレームロック位置（図７の実線参照）から回転フレー
ムロック解除位置（図７の破線参照）に回転する。そして、爪部１６ｃ，１７ｃと固定フ
レーム１の回転フレームロック用突起１ａとの係合が解除されると、回転フレーム２が固
定フレーム１に対して回転可能な状態になる。このとき、フロントカバーＵ２と回転フレ
ーム２は、カバーロック部材２３とロック部材ガイド部１３，１４によりロックされてい
るので、フロントカバーＵ２と回転フレーム２は一体的に閉鎖位置（図１参照）から開放
位置（図１、図５参照）に移動できる。なお、前記左側の回転フレームロック部材１７に
は、回転フレームロック部材１７がロック解除位置に移動したときに左側のカバーロック
部材２３に係合して、カバーロック部材２３の移動を規制する図示しないスライド規制部
が設けられており、回転フレーム開閉部Ｕ２ｃを押している間はスライドバー２２がスラ
イドできないように構成されている。
【００４０】
回転フレーム開閉部Ｕ２ｃの操作を行っていない状態（ユーザが手を離した状態）では
、スプリング１８により回転フレームロック部材１６，１７は回転フレームロック位置に
移動する。この状態で、フロントカバーＵ２を元に戻すと、回転フレームロック用突起１
ａに爪部１６ｃ，１７ｃの閉塞時ガイド面１６ｃ１，１７ｃ１が接触してガイドされ、一
度開放位置側に移動するが、更にフロントカバーＵ２が押し込まれると爪部１６ｃ，１７
ｃが回転フレームロック用突起１ａ部分に到達して、スプリング１８により爪部１６ｃ，
１７ｃと回転フレームロック用突起１ａとが係合し、ロックされる。なお、このような開
閉機構を備えた回転フレーム２およびフロントカバーＵ２は、従来公知であり、種々の構
成を採用可能である。
【００４１】
（反転ユニット（追加ユニット）の説明）
図１２は本発明の追加ユニットの実施例１としての反転ユニットの斜視説明図である。
図８、図１２において、回転フレーム２の前側のユニット装着用空間には、追加ユニッ
トとしての反転ユニットＵ４が支持される。反転ユニットＵ４は、上下方向に延びるガイ
ド部３１と、ガイド部３１の左右両端部に一体的に形成された端壁部３２，３３と、ガイ
ド部３１の上方に配置され且つ前記端壁部３２，３３に回転可能に支持された後方に延び
る上流側ガイド部材３４と、左側の端壁３２の上端部に支持されたモータユニットＭと、
回転フレーム２の図示しないコネクタに連結され制御信号の入出力や電源の供給等を行う
コネクタＣＮとを有する。したがって、実施例１の反転ユニットＵ４は、上下方向に延び
るガイド部３１と後方に延びる上流側ガイド部材３４により、全体として逆Ｌ字形の形状
に構成されている。
【００４２】
前記ガイド部３１の前面には、上下方向に延び、シート反転路ＳＨ２の中流内側ガイド
面を構成する中流内側ガイド部３１ａが形成されている。また、ガイド部３１の上端部と
下端部には、それぞれ左右一対の従動ローラ支持孔３１ｂ，３１ｃ，３１ｄ，３１ｅが形
成されている。各従動ローラ支持孔３１ｂ，３１ｃ，３１ｄ，３１ｅには、搬送ローラ（
追加搬送部材）Ｒａの従動ローラＲａ１（図１２には下側の２つのみ図示）が、バネ３６
により外側に付勢された状態で支持されている。前記ガイド部３１の中央部には、搬送さ
れる記録シートＳに接触して紙詰まり等の検出に利用される用紙センサ３７が支持されて
いる。
前記中流内側ガイド部３１の上方には、前記上流側ガイド部材３４により、前記中流内
側ガイド部３１ａから連続し且つ後方に湾曲し、上流側シート反転路ＳＨ２ａを構成する
上流内側ガイド面３４ａおよび上流外側ガイド面３４ｂ（図２参照）が形成される。
【００４３】
前記両端壁部３２，３３の間には、ガイド部３１の前側を横切る２つの回転軸４１，４
２が支持されている。前記各回転軸４１，４２には、前記従動ローラＲａ１に対向する駆
動ローラＲａ２が支持されており、前記バネ３６により、従動ローラＲａ１が駆動ローラ
Ｒａ２に所定の接触圧で接触している。左端壁部３２には、ギア列４３が配置されており
、前記モータボックスＭからの駆動がギア列４３を介して前記回転軸４１，４２に伝達さ
れ、搬送ローラＲａ（駆動ローラＲａ１および従動ローラＲａ２）が回転駆動する。
図８、図１２において、前記両端壁部３２，３３の下端部には、円弧状の下端面を有し
、側面視Ｕ溝状の前記ユニット支持部６，７（図９参照）に支持される被支持部（引っ掛
け被支持部）３２ａ，３３ａが形成されている。
左端壁部３２の上下方向中央部には、左方に突出する左側被固定部３２ｂが形成されて
おり、右端壁部３３の上下方向中央部には、右方に突出する右側被固定部３３ｂが形成さ
れている。
【００４４】
（左側被固定部の説明）
図１３は左側被固定部および固定部材の要部説明図である。
図１４は図１３の矢印ＸＩＶ方向から見た図である。
図１３において、左側被固定部３２ｂには、鍵穴状の固定部材貫通孔４５が形成されて
おり、左側被固定部３２ｂには、鍵穴状の固定部材貫通孔４５に対応して前方に突出する
左側前方突出部４６が形成されている。前記左側前方突出部４６は、円筒状の左側円筒部
４６ａと、左側円筒部４６ａの右部から右方に連続して形成された角形の左側鍵通過部４
６ｂとを有する。前記左側円筒部４６ａの内周面により軸受面（ガイド面）４６ａ１が構
成されている。前記左側円筒部４６ａには、左部から下部にかけて前方に突出する円弧状
の左側固定部材回転ガイド部４６ｃが形成されている。前記左側固定部材回転ガイド部４
６ｃの内周面の径は、左側円筒部４６ａの内周面の径よりも大径に形成されている。
【００４５】
また、前記左側円筒部４６ａの上部前端面には、左右方向に離れた位置に一対の左側突
起４６ｄ，４６ｅが形成されており、右方に形成されたの突起により左側アンロック位置
用突起４６ｄが構成され、左方に形成された突起により左側ロック位置用突起４６ｅが構
成されている。さらに、左側円筒部４６ａと左側鍵通過部４６ｂの上側の境界部には、周
方向に沿って上方に行くに連れて前方に傾斜する側面視略三角形状の左側装着用ガイド部
４６ｆが形成されている。前記左側固定部材回転ガイド部４６ｃおよび左側装着用ガイド
部４６ｆにより、実施例１の左側ガイド部（一端側ガイド部）（４６ｃ＋４６ｆ）が構成
されている。
前記左側固定部材回転ガイド部４６ｃや各左側突起４６ｄ，４６ｅ、左側装着用ガイド
部４６ｆの内側且つ、左側円筒部４６ａの前面には、リング状の左側外側ガイド面４６ａ
２が形成されている。
図１３、図１４において、前記左側前方突出部４６ｃの内周面の後側（−Ｘ側）には、
円弧状の段差により形成された左側爪係止部４６ｇが形成され、固定部材貫通孔４５と左
側爪係止部４６ｇとの段差部分には爪係合面４６ｇ１が形成されている。
【００４６】
（右側被固定部の説明）
図１５は実施例１の右側被固定部および固定部材の要部説明図である。
図１６は右側被固定部に固定部材が装着された状態の説明図である。
図１５，図１６において、実施例１の右側被固定部３３ｂには、前記左側被固定部３２
ｂの固定部材貫通孔４５と左右対称な固定部材貫通孔４８が形成されており、前記固定部
材貫通孔４８に対応した形状で前方に突出する右側前方突出部４９を有する。前記右側前
方突出部４９は、円筒状の右側円筒部４９ａと、右側円筒部４９ａの左部から左方に連続
して形成された角形の右側鍵通過部４９ｂとを有する。前記右側円筒部４９ａの内周面に
より軸受面（ガイド面）４９ａ１が構成されている。前記右側前方突出部４９には、左部
から下部にかけて前方に突出する円弧状の右側固定部材回転ガイド部４９ｃが形成されて
いる。前記右側固定部材回転ガイド部４９ｃの内周面の径は、右側円筒部４６ａの内周面
の径よりも大径に形成されている。
【００４７】
また、前記右側円筒部４９ａの上部前端面には、上下方向に離れた位置に一対の左側突
起４９ｄ，４９ｅが形成されており、上方に形成された突起により右側アンロック位置用
突起４９ｄが構成され、下方に形成された突起により右側ロック位置用突起４９ｅが構成
されている。さらに、右側アンロック位置用突起４９ｄの左上方には、周方向に沿って右
方に行くに連れて前方に傾斜する側面視略三角形状の右側装着用ガイド部４９ｆが形成さ
れている。前記右側固定部材回転ガイド部４９ｃおよび右側装着用ガイド部４９ｆにより
、実施例１の右側ガイド部（他端側ガイド部）（４９ｃ＋４９ｆ）が構成されている。
前記右側固定部材回転ガイド部４９ｃや各右側突起４９ｄ，４９ｅ、右側装着用ガイド
部４９ｆの内側且つ、右側円筒部４９ａの前面には、リング状の右側外側ガイド面４９ａ
２が形成されている。
図１５、図１６において、前記右側前方突出部４９ｃの内周面の後側（−Ｘ側）には、
円弧状の段差により形成された右側爪係止部４９ｇが形成され、固定部材貫通孔４５と右
側爪係止部４９ｇとの段差部分には爪係合面４９ｇ１が形成されている。
【００４８】
（固定部材の説明）
図１７は、実施例１の固定部材の斜視説明図である。
図１８は、図１６の矢印ＸＶＩＩＩ方向から見た図である。
図１３〜図１８において、実施例１の固定部材５１は、樹脂により一体的に形成されて
おり、円筒状の軸部５２と、前記軸部５２の基端部に形成された円板状の被ガイド部５３
と、前記被ガイド部５３に連続し且つユーザが指でつまんで操作可能な板状の操作部５４
とを有する。
前記円筒状の軸部５２の先端部（固定部材装着方向前端部）には、軸部５２から径方向
（放射方向）両側に延びる鍵部５６が形成されており、実施例１の鍵部５６は、軸部５２
を中心軸としてみたときに前記操作部５４と回転方向の位相が同じ位置に形成されている
。また、前記鍵部５６は、鍵穴状の右側固定部１１および左側固定部１２（図９〜図１１
参照）に嵌り合うように形成されている。
【００４９】
前記鍵部５６の基端側（固定部材装着方向後端側）の軸部５２には、軸部５２から径方
向（放射方向）両側に延びる被軸受部５７が形成されており、実施例１の被軸受部５７は
、装置正面側（＋Ｘ側）から軸部５２を中心軸としてみたときに前記操作部５４に対して
回転方向の位相が時計回り方向に４５°程度進んだ位置に形成されている。また、前記被
軸受部５７は、外端部が各固定部３２ｂ，３３ｂの軸受面４６ａ１，４９ａ１に接触して
ガイドされるように設定されている（図１８参照）。
前記被軸受部５７の基端側の軸部５２には、軸部５２から径方向（放射方向）に延びる
板状のクラッチ部（突起係合弾性変形部）５８と、クラッチ部５８の反対側延びる外側被
ガイド部５９（図１３〜図１５参照）とが形成されている。前記クラッチ部５８および外
側被ガイド部５９は、回転方向の位相が前記被軸受部５７と同じ位置に形成されている。
【００５０】
図１７において、前記クラッチ部５８は、樹脂製であるため、先端部が軸部５２の軸方
向に沿って弾性変形可能であり、クラッチ部５８の軸部５２先端側の面には、突条により
構成された突起係合部５８ａが形成されている。前記クラッチ部５８は、突条の突起係合
部５８ａが、円筒部４６ａの前端面に係止された状態で回転方向にガイドされると共に、
回転位置に応じて、突起４６ｄ，４６ｅ，４９ｄ，４９ｅや装着用ガイド部４６ｆ，４９
ｆに係合可能に形成されている。また、前記外側被ガイド部５９は、先端側が被軸受部５
７に連続的に形成されており、外側ガイド面４６ａ２，４９ａ２に接触、係止された状態
で回転方向にガイドされるように構成されている。
【００５１】
図１７において、前記円板状の被ガイド部５３には、軸部５２に沿って軸部先端側に向
かって延びる一対の抜け止め部６１が形成されている。前記抜け止め部６１は、装置正面
側（＋Ｘ側）から軸部５２を中心軸としてみたときに前記操作部５４に対して回転方向の
位相が反時計回り方向に４５°程度移動した位置に形成されている。前記抜け止め部６１
の先端部には、先端部に行くほど厚みが薄くなるように形成された装着時ガイド面６１ａ
と、固定部材５１が各被固定部３２ｂ，３３ｂに装着された場合に爪係合面４９ｇ１に引
っ掛かる爪部６１ｂが形成されている。また、前記抜け止め部６１の基端部側には、固定
部材５１が各被固定部３２ｂ，３３ｂに装着された場合に外側ガイド面４６ａ２，４９ａ
２に接触、係止された状態で回転方向にガイドされる外側抜け止め部６１ｃが形成されて
いる。
【００５２】
図１９は、実施例１の固定部材が追加ユニットに装着される装着位置に移動した状態の
説明図であり、図１９Ａは左側被固定部を前側で被ガイド部の内側から見た状態の要部断
面図、図１９Ｂは左側被固定部を後側から見た状態の説明図、図１９Ｃは右側被固定部を
前側で被ガイド部の内側から見た状態の要部断面図、図１９Ｄは右側被固定部を後側から
見た状態の説明図である。
図２０は、実施例１の固定部材がアンロック位置（固定解除位置）に移動した状態の説
明図であり、図２０Ａは左側被固定部を前側で被ガイド部の内側から見た状態の要部断面
図、図２０Ｂは左側被固定部を後側から見た状態の説明図、図２０Ｃは右側被固定部を前
側で被ガイド部の内側から見た状態の要部断面図、図２０Ｄは右側被固定部を後側から見
た状態の説明図である。
図２１は、実施例１の固定部材がロック位置（固定位置）に移動した状態の説明図であ
り、図２１Ａは左側被固定部を前側で被ガイド部の内側から見た状態の要部断面図、図２
１Ｂは左側被固定部を後側から見た状態の説明図、図２１Ｃは右側被固定部を前側で被ガ
イド部の内側から見た状態の要部断面図、図２１Ｄは右側被固定部を後側から見た状態の
説明図、図２１Ｅは図２１ＡのＸＸＩＥ−ＸＸＩＥ線断面図である。
【００５３】
図１９において、前記固定部材５１は、反転ユニットＵ４の被固定部３２ｂ，３３ｂに
装着する場合、鍵部５６が鍵通過部４６ｂ，４９ｂに対応する状態で、固定部材５１を固
定部材貫通孔４５，４８に貫通させる。次に、固定部材５１を後側に押し込んでいくと、
抜け止め部６１の装着時ガイド面６１ａが円筒部４６ａ，４９ａの前端面に接触して、抜
け止め部６１が内側に弾性変形する。さらに、固定部材５１を後側に押し込み、爪部６１
ｂが爪係合面４６ｇ１，４９ｇ１の位置まで押し込まれると、抜け止め部材６１が弾性復
元力により元の状態に戻り、爪部６１ｂが爪係合面４６ｇ１，４９ｇ１に係合して抜け止
めがされる（図１８参照）。したがって、固定部材５１は図１９に示す装着位置に移動す
る。このとき、クラッチ部５８は、固定部材回転ガイド部４６ｃ，４９ｃと、装着用ガイ
ド部４６ｆ，４９ｆとの間に位置する。
なお、装着位置では、前記爪部６１ｂの係合を解除するように弾性変形させることによ
り、固定部材５１を取り外すことができる。
【００５４】
図１９，図２０において、固定部材５１が装着された状態で、ユーザが操作部５４をつ
まんでクラッチ部５８が装着用ガイド部４６ｆ，４９ｆ側に移動するように回転させると
、被軸受部５７が軸受面４６ａ１，４９ａ１に、被ガイド部５３が固定部材回転ガイド部
４６ｃ，４９ｃに、爪部６１ｂが爪係合面４６ｇ１，４９ｇ１に、クラッチ部５８が円筒
部４６ａ、４９ａの前端面に、外側抜け止め部６１ｃが外側ガイド面４６ａ２，４９ａ２
に、それぞれ接触してガイドされる。そして、クラッチ部５８が略三角形状の装着用ガイ
ド部４６ｆ，４９ｆの斜面に差し掛かると、爪部６１ｂおよび外側抜け止め部６１ｃ等に
より固定部材５１の軸方向（装着方向）に沿った移動が規制されているので、装着用ガイ
ド部４６ｆ，４９ｆに接触するクラッチ部５８は、先端部が前側（＋Ｘ側）に弾性変形す
る。
【００５５】
この状態からさらに固定部材５１を回転させると、クラッチ部５８が装着用ガイド部４
６ｆ，４９ｆを乗り越え、弾性変形した状態から元の状態に戻る。この結果、固定部材５
１は、アンロック位置（固定解除位置、図２０参照）に移動する。前記固定部材５１がア
ンロック位置に移動すると、固定部材５１を装着位置側に戻そうとして回転させようとし
ても、装着用ガイド部４６ｆ，４９ｆの垂直面により回転が規制されるため、装着位置側
に戻すことができない。逆に、ユーザが操作しない状態で、固定部材５１が回転しようと
しても、クラッチ部の突起係合部５８ａがアンロック位置用突起４６ｄと係合して、装着
位置とは反対側（後述するロック位置側）への回転も規制される。したがって、固定部材
５１は、アンロック位置で安定して保持される。そして、アンロック位置では、鍵部５６
が邪魔となって固定部材貫通孔４５，４８を通過できないので、固定部材５１を反転ユニ
ットＵ４から取り外すことはできなくなり、反転ユニットＵ４の輸送中の衝撃等により、
固定部材５１が反転ユニットＵ４から離脱することを防止できる。したがって、実施例１
の反転ユニットＵ４には、ユニットのみを倉庫等で保管する場合、固定部材５１が装着さ
れた後、アンロック位置に保持した状態で保持することができる。
【００５６】
図２０，図２１において、ユーザが操作部５４をつまんで前記固定部材５１をアンロッ
ク位置から回転可能な方向（装着位置とは逆方向）に回転させると、クラッチ部５８の突
起係合部５８ａがアンロック位置用突起４６ｄに係合する。この状態で更に回転させると
クラッチ部５８が弾性変形して突起係合部５８ａがアンロック位置用突起４６ｄを乗り越
え、固定部材５１が回転する。そして、更に回転させると、突起係合部５８ａがロック位
置用突起４６ｅに係合する。この状態から、更に回転させると、クラッチ部５８が弾性変
形して突起係合部５８ａがロック位置用突起４６ｅを乗り越え、固定部材５１が図２１に
示すロック位置（固定位置）に移動する。したがって、操作部５４を操作するユーザに、
突起係合部５８ａがロック位置用突起４６ｅを乗り越える際の感覚（クリック感）が伝わ
り、ユーザが、ロック位置に移動したことを感覚的に認識することができる。
なお、ロック位置からアンロック位置に移動させる場合、ユーザが操作部５４をつまん
でアンロック位置側に移動させることで移動でき、このときも、突起係合部５８ａがアン
ロック位置用突起４６ｄを乗り越える際の感覚で、アンロック位置に移動したことを認識
できる。
この結果、装着位置で装着された固定部材５１は、一度アンロック位置に移動すると、
アンロック位置とロック位置との間で回転可能に支持される。
【００５７】
（実施例１の作用）
前記構成を備えた実施例１のプリンタ（画像形成装置）Ｕでは、両面印刷機能を追加す
る追加ユニットとしての反転ユニットＵ４を装着する場合、まず、フロントカバーＵ２の
カバー開閉ボタンＵ２ｂを操作して、フロントカバーＵ２のみを開放位置に移動させて、
ユニット装着用空間を開放する。すなわち、回転フレーム（追加ユニット支持部材）２の
ユニットが装着される側面が開放される。
この状態で、反転ユニットＵ４の下端部の被支持部３２ａ，３３ａを、Ｕ溝状のユニッ
ト支持部６，７（図９参照）に装着する。次に、反転ユニットＵ４をＵ溝状のユニット支
持部６，７を回転中心として回転させ、各被固定部３２ｂ、３３ｂが固定部１１，１２に
対向する位置に移動させる。このとき、固定部材５１をアンロック位置に移動させておく
と、固定部材５１の一対の鍵部５６が鉛直方向に沿っているので、鍵部５６が固定部１１
，１２の鍵穴を貫通した状態で嵌る。
【００５８】
前記鍵部５６が固定部１１，１２に嵌った状態で、固定部材５１をアンロック位置から
ロック位置に回転させると、鍵部５６が回転して固定部１１，１２の鍵穴に対して９０°
回転した位置に移動するので、鍵がかかった状態となる（図２１Ｅ参照）。この結果、前
記反転ユニットＵ４が回転フレーム２に固定される。そして、フロントカバーＵ２を閉塞
位置に移動させることで、反転ユニットＵ４がプリンタＵの内部に収容される。
また、反転ユニットＵ４を回転フレーム２から取り外す際には、固定部材５１をアンロ
ック位置に移動させてから、反転ユニットＵ４をＵ溝状のユニット支持部６，７を中心と
して回転させて固定部材５１を鍵穴１１，１２から離脱させることで取り外すことができ
る。
【００５９】
したがって、実施例１のプリンタＵでは、追加ユニットＵ４を装着する際に、フロント
カバーＵ２の回転中心Ｕ２ａに近い側に配置された被支持部３２ａ，３３ａを引っ掛けた
状態で、回転中心Ｕ２ａから遠い側に配置された被固定部３２ｂ，３３ｂで固定するので
、作業スペースの狭い回転中心Ｕ２ａ側での作業が少なく、作業スペースが比較的広い回
転中心Ｕ２ａより遠い側で固定部材５１での固定作業を行うことができる。よって、追加
ユニットＵ４をプリンタＵに容易に装着でき、作業性が高まる。また、被支持部３２ａ，
３３ａは、Ｕ溝状のユニット支持部６，７に支持されるだけで、ネジ等により固定する必
要がないので、固定する場所が少なく、作業性が高い。さらに、固定部材５１を回転させ
るだけで装着でき、ネジ止めをする場合に必要なドライバー等の工具も必要ないため、装
着作業を容易にできる。このため、サービスエンジニア等を呼ばなくても、ユーザが容易
に反転ユニットＵ４の装着や交換を行うことができ、待ち時間や人件費等を抑えることが
できる。
【００６０】
また、実施例１のプリンタＵでは、図４に示すように、フロントカバーＵ２が開放位置
に移動した状態では、フロントカバーＵ２の上端部（上カバー部Ｕ２ｅの上端）が、固定
部材５１の鉛直方向の高さとほぼ同じ高さに設定されているので、フロントカバーＵ２の
上端部が固定部材５１よりも上方に配置されている場合に比べ、固定部材５１を操作する
作業スペースが広く、ユーザが手を奥まで入れる必要が無いため、固定作業を容易に行う
ことができる。
さらに、実施例１のプリンタＵでは、左右両端部の被固定部３２ｂ，３３ｂに装着され
る固定部材５１が同一のものを使用できるので、部品を共通化でき、コストを低減できる
。
【００６１】
また、実施例１の反転ユニットＵ４では、固定部材５１をアンロック位置とロック位置
で回転移動させる際に、右側と左側で回転方向（時計回りと反時計回り）が異なる。両方
とも同じ方向に回転させる場合では、人間工学的に体が傾いたりして、操作しにくくなる
が、異なる回転方向に回転させる実施例１の反転ユニットＵ４では、人間工学的に自然な
操作となり、力も入れやすく、固定作業を容易に行うことができる。
さらに、実施例１のプリンタＵでは、固定部材５１に設けられた被軸受部５７、被ガイ
ド部５３、爪部６１ｂ、クラッチ部５８、外側抜け止め部６１ｃが、被固定部３２ｂ，３
３ｂの軸受面４６ａ１，４９ａ１、固定部材回転ガイド部４６ｃ，４９ｃ、爪係合面４６
ｇ１，４９ｇ１、円筒部４６ａ、４９ａの前端面に、外側ガイド面４６ａ２，４９ａ２に
ガイドされるので、固定部材５１を回転させる際に固定部材５１がぐらつくことなく、軸
部５２を回転軸として確実に回転させることができる。
【００６２】
また、実施例１のプリンタＵでは、突起係合部５８ａと、突起４６ｄ，４６ｅとの係合
により、固定部材５１をロック位置またはアンロック位置に保持することができると共に
、ユーザがロック位置、アンロック位置に移動したことをクリック感で認識でき、中間位
置で放置されることを低減できる。
さらに、実施例１では、反転ユニットＵ４に固定部材５１を装着し、アンロック位置に
移動させると、原則的に取り外せなくなるので、反転ユニットＵ４の装着や取外しを行う
際に、固定部材５１が脱落することを防止できる。
【実施例２】
【００６３】
図２２は本発明の実施例２の右側の被固定部の斜視説明図である。
図２３は実施例２の右側の被固定部に固定部材が装着された状態の説明図である。
図２４は実施例２の左側の被固定部の斜視説明図である。
図２５は実施例２の左側の被固定部に固定部材が装着された状態の説明図である。
次に本発明の実施例２のプリンタ（画像形成装置）Ｕの説明を行うが、この実施例２の
説明において、前記実施例１の構成要素に対応する構成要素には同一の符号を付して、そ
の詳細な説明を省略する。この実施例２は、下記の点で前記実施例１と相違しているが、
他の点では前記実施例１と同様に構成されている。
【００６４】
図２２，図２３において、実施例２の右側被固定部３３ｂ′では、実施例１の右側被固
定部３３ｂに比べて、右側装着用ガイド部４９ｆが省略されている。そして、実施例２の
右側被固定部３３ｂ′では、右側固定部材回転ガイド部（他端側ガイド部）４９ｃ′が、
右側装着用ガイド部４９ｆが形成されていた位置に相当する部分まで形成されている。
図２４．図２５において、実施例２の左側被固定部３２ｂ′も、右側被固定部３３ｂ′
と同様に、左側装着用ガイド部４６ｆが省略され、左側固定部材回転ガイド部（一端側ガ
イド部）４６ｃ′が左側装着用ガイド部４６ｆが形成されていた位置に相当する部分まで
形成されている。
【００６５】
（実施例２の作用）
前記構成を備えた実施例２のプリンタＵでは、実施例１の場合に比べ、各被固定部３２
ｂ′，３３ｂ′に固定部材５１が装着される際の装着位置に相当するものが省略されてい
る。したがって、固定部材５１を軸部５２の軸方向から装着することはできないが、固定
部材５１を軸方向に対して斜めに挿入し、鍵部５６が鍵通過部４６ｂ，４９ｂを通過して
から、アンロック位置側に回転させながら、軸方向に沿うように固定部材５１をおこしな
がら装着することで、固定部材５１を被固定部３２ｂ′，３３ｂ′に装着することができ
る。
したがって、このようにして反転ユニットＵ４に装着された実施例２の固定部材５１は
、アンロック位置とロック位置とを移動する際に、固定部材回転ガイド部４６ｃ′，４９
ｃ′の弧の長さが実施例１の場合に比べて長いので、被ガイド部５３が接触する面積が広
くなっており、実施例１の場合に比べてさらにぐらつきが少ない状態で安定して回転させ
ることができる。その他、実施例２の反転ユニットＵ４は、実施例１と同様の作用効果を
有する。
【００６６】
（変更例）
以上、本発明の実施例を詳述したが、本発明は、前記実施例に限定されるものではなく
、特許請求の範囲に記載された本発明の要旨の範囲内で、種々の変更を行うことが可能で
ある。本発明の変更例（Ｈ01）〜（Ｈ08）を下記に例示する。
（Ｈ01）前記実施例において、画像形成装置としてのプリンタを例示したが、これに限定
されず、ＦＡＸや複写機あるいはこれらすべてまたは複数の機能を備えた複合機とするこ
とも可能である。また、カラーの画像形成装置に限定されず、モノクロの画像形成装置に
より構成することも可能であり、いわゆるロータリ式の画像形成装置に限定されず、タン
デム式等の画像形成装置にも適用可能である。
【００６７】
（Ｈ02）前記実施例において、追加ユニットとして反転ユニットを例示したが、これに限
定されず、画像形成装置内部に固定される追加ユニットに適用可能である。例えば、手差
しトレイＴＲ０がオプションである場合に、追加ユニットとしての手差しトレイユニット
に適用可能である。このほかにも、後処理装置に用紙を搬送するための搬送ユニットを追
加して装着可能な構成にも適用可能である。
（Ｈ03）前記実施例において、固定部１１，１２と被固定部３２ｂ、３３ｂは左右一対設
けたが、これに限定されず、１か所としたり、３か所以上とすることも可能である。同様
に、ユニット支持部６，７や被支持部（引っ掛け被支持部）３２ａ，３３ａも左右二か所
に限定されず、１か所または３か所以上とすることも可能である。
（Ｈ04）前記実施例において、固定部材５１を共通化したが、これに限定されず、複数の
形状の固定部材を使用することも可能である。
【００６８】
（Ｈ05）前記実施例において、固定部材５１の回転方向は右側と左側で鏡面対称となるよ
うに逆方向に設定したが、これに限定されず、同じ回転方向とすることも可能であり、回
転角度を右側と左側で変更することも可能である。
（Ｈ06）前記実施例において、突起４６ｄ，４６ｅ，４９ｄ，４９ｅと、突条の突起係合
部５８ａとにより、ロック位置とアンロック位置でクリック感を発生させたが、組み合わ
せや形状は任意に変更可能であり、例えば、凹部と突起としたりすることも可能である。
なお、省略することも可能である。
（Ｈ07）前記実施例において、追加ユニットとしての反転ユニットが回転フレームに装着
する構成を例示したが、これに限定されず、固定フレームに装着される追加ユニットとす
ることも可能である。
【００６９】
（Ｈ08）前記実施例において、固定部材５１は樹脂材料により構成したが、これに限定さ
れず、任意の材料により構成することも可能である。また、軸部５２や鍵部５６，被軸受
部５７等を一体的に形成したが、これに限定されず、複数の部材を組み合わせて作製する
ことも可能である。また、固定部材の抜け止め部６１やクラッチ部５８は弾性変形可能な
一体的な樹脂材料で構成したが、バネとプレートとを組み合わせた構成等任意の構成を採
用可能である。
【図面の簡単な説明】
【００７０】
【図１】図１は本発明の実施例１の画像形成装置の斜視説明図である。
【図２】図２は実施例１の画像形成装置の説明図である。
【図３】図３は実施例１の開閉カバー（フロントカバー）のみが開放位置に移動した状態の説明図である。
【図４】図４は図３の側面図である。
【図５】図５は実施例１の開閉カバーと回転フレームとが開放位置に移動した状態の説明図である。
【図６】図６は開閉カバーのみを開放させるカバー開閉機構の要部拡大説明図であり、開閉カバーの一部の図示を省略し、カバー開閉機構が開放可能位置に移動した状態の説明図である。
【図７】図７は開閉カバーと回転フレームとを開閉させる回転フレーム開閉機構の要部拡大図である。
【図８】図８は実施例１の回転フレームに反転ユニットが装着された状態の要部斜視説明図である。
【図９】図９は、図８の状態から反転ユニットが取り外された状態の要部斜視説明図である。
【図１０】図１０は回転フレームの右上部分の要部拡大図である。
【図１１】図１１は回転フレームの左上部分の要部拡大図である。
【図１２】図１２は本発明の追加ユニットの実施例１としての反転ユニットの斜視説明図である。
【図１３】図１３は左側被固定部および固定部材の要部説明図である。
【図１４】図１４は図１３の矢印ＸＩＶ方向から見た図である。
【図１５】図１５は実施例１の右側被固定部および固定部材の要部説明図である。
【図１６】図１６は右側被固定部に固定部材が装着された状態の説明図である。
【図１７】図１７は、実施例１の固定部材の斜視説明図である。
【図１８】図１８は、図１６の矢印ＸＶＩＩＩ方向から見た図である。
【図１９】図１９は、実施例１の固定部材が追加ユニットに装着される装着位置に移動した状態の説明図であり、図１９Ａは左側被固定部を前側で被ガイド部の内側から見た状態の要部断面図、図１９Ｂは左側被固定部を後側から見た状態の説明図、図１９Ｃは右側被固定部を前側で被ガイド部の内側から見た状態の要部断面図、図１９Ｄは右側被固定部を後側から見た状態の説明図である。
【図２０】図２０は、実施例１の固定部材がアンロック位置（固定解除位置）に移動した状態の説明図であり、図２０Ａは左側被固定部を前側で被ガイド部の内側から見た状態の要部断面図、図２０Ｂは左側被固定部を後側から見た状態の説明図、図２０Ｃは右側被固定部を前側で被ガイド部の内側から見た状態の要部断面図、図２０Ｄは右側被固定部を後側から見た状態の説明図である。
【図２１】図２１は、実施例１の固定部材がロック位置（固定位置）に移動した状態の説明図であり、図２１Ａは左側被固定部を前側で被ガイド部の内側から見た状態の要部断面図、図２１Ｂは左側被固定部を後側から見た状態の説明図、図２１Ｃは右側被固定部を前側で被ガイド部の内側から見た状態の要部断面図、図２１Ｄは右側被固定部を後側から見た状態の説明図、図２１Ｅは図２１ＡのＸＸＩＥ−ＸＸＩＥ線断面図である。
【図２２】図２２は本発明の実施例２の右側の被固定部の斜視説明図である。
【図２３】図２３は実施例２の右側の被固定部に固定部材が装着された状態の説明図である。
【図２４】図２４は実施例２の左側の被固定部の斜視説明図である。
【図２５】図２５は実施例２の左側の被固定部に固定部材が装着された状態の説明図である。
【符号の説明】
【００７１】
２…追加ユニット支持部材、
６，７…中心側支持部、
１１，１２…固定部、
３２ａ，３３ａ…被支持部、
３２ｂ，３２ｂ′…一端側被固定部、
３２ｂ，３３ｂ，３２ｂ′，３３ｂ′…被固定部、
３３ｂ，３３ｂ′…他端側被固定部、
４５，４８…貫通孔、
４６ａ１，４９ａ１…ガイド面、
４６ｃ＋４６ｆ，４６ｃ′…一端側ガイド部、
４６ｄ，４６ｅ，４９ｄ，４９ｅ…突起、
４９ｃ＋４９ｆ，４９ｃ′…他端側ガイド部、
５１…固定部材、
５２…軸部、
５６…鍵部、
５７…被軸受部、
５８…突起係合弾性変形部、
Ｒａ…追加搬送部材、
Ｓ…記録シート、
ＳＨ２…追加搬送路，シート反転路、
Ｕ…画像形成装置、
Ｕ２…開閉カバー、
Ｕ２ａ…回転中心、
Ｕ２ｄ…側面カバー部、
Ｕ２ｅ…上面カバー部、
Ｕ４…追加ユニット，搬送ユニット。
【図１】
2008064999.tif 000003
【図２】
2008064999.tif 000004
【図３】
2008064999.tif 000005
【図４】
2008064999.tif 000006
【図５】
2008064999.tif 000007
【図６】
2008064999.tif 000008
【図７】
2008064999.tif 000009
【図８】
2008064999.tif 000010
【図９】
2008064999.tif 000011
【図１０】
2008064999.tif 000012
【図１１】
2008064999.tif 000013
【図１２】
2008064999.tif 000014
【図１３】
2008064999.tif 000015
【図１４】
2008064999.tif 000016
【図１５】
2008064999.tif 000017
【図１６】
2008064999.tif 000018
【図１７】
2008064999.tif 000019
【図１８】
2008064999.tif 000020
【図１９】
2008064999.tif 000021
【図２０】
2008064999.tif 000022
【図２１】
2008064999.tif 000023
【図２２】
2008064999.tif 000024
【図２３】
2008064999.tif 000025
【図２４】
2008064999.tif 000026
【図２５】
2008064999.tif 000027